(57)【要約】  ポータブル機器支持装置は、面要素を含む。第１の支持要素は、面要素に結合される。各第１の支持要素は、面要素に近位の端部と、面要素から遠位の端部とを有する。第２の支持要素は、それぞれの固定具によってそれぞれの第１の支持要素に結合される。各固定具は、近位端部と遠位端部との間を第１の支持要素のうちのそれぞれ１つに沿って前後に並進移動することができる。装置は、第１の支持要素からの角度で各第２の支持要素が延在している展開位置を有する。装置は、格納位置を有する。
2020504284.tif 000002
【特許請求の範囲】
【請求項１】
ポータブル機器支持装置であって、
面要素と、
前記面要素に結合された複数の第１の支持要素と、ここで、各第１の支持要素は、前記面要素に近位の端部と前記面要素から遠位の端部とを有し、
複数の第２の支持要素と、
複数の固定具と、ここで、各第２の支持要素は、前記固定具のうちのそれぞれ１つによってそれぞれの第１の支持要素に結合される、
を備え、
各固定具は、近位端部と遠位端部との間を前記第１の支持要素のうちのそれぞれ１つに沿って前後に並進移動するように構成され、
前記装置は、各固定具が前記遠位端部にあり、且つ、各第２の支持要素が結合されている前記第１の支持要素からの角度で各第２の支持要素が延在している展開位置を有し、
前記装置は、各固定具が前記近位端部にある格納位置を有する、
装置。
【請求項２】
前記格納位置において、各第１の支持要素は、少なくとも部分的にそれぞれの第２の支持要素内に配置される、請求項１に記載の装置。
【請求項３】
前記格納位置において、各第２の支持要素は、少なくとも部分的にそれぞれの第１の支持要素内に配置される、請求項１に記載の装置。
【請求項４】
各固定具の前記並進移動動作は、少なくとも部分的に直線である、請求項１に記載の装置。
【請求項５】
可燃性燃料を受け取るように構成されたポートをさらに備える、請求項１に記載の装置。
【請求項６】
前記面要素は、前記ポートに流体連結され、前記ポートによって受け取られた前記燃料を燃焼するように構成される、請求項５に記載の装置。
【請求項７】
ポータブル機器支持装置であって、
面要素と、
前記面要素に結合された複数の第１の支持要素と、ここで、各第１の支持要素は、前記面要素に近位の端部と前記面要素から遠位の端部とを有し、
複数の第２の支持要素と、
複数の固定具と、ここで、各第２の支持要素は、前記固定具のうちのそれぞれ１つによってそれぞれの第１の支持要素に結合される、
を備え、
各固定具は、近位端部と遠位端部との間を前記第１の支持要素のうちのそれぞれ１つに沿って前後に並進移動するように構成され、
前記装置は、各固定具が前記近位端部にあり、且つ、各第２の支持要素が結合されている前記第１の支持要素からの角度で各第２の支持要素が延在している展開位置を有し、
前記装置は、各固定具が前記遠位端部にある格納位置を有する、
装置。
【請求項８】
各固定具の前記並進移動動作は、少なくとも部分的に曲線である、請求項７に記載の装置。
【請求項９】
可燃性燃料を受け取るように構成されたポートをさらに備える、請求項７に記載の装置。
【請求項１０】
前記面要素は、前記ポートに流体連結され、前記ポートによって受け取られた前記燃料を燃焼するように構成される、請求項９に記載の装置。
【発明の詳細な説明】
【優先権の主張】
【０００１】
[0001]  本願は、２０１７年１月３日付で出願された「Portable Device Support System」と題する、米国特許仮出願第６２／４４１，９４５号の優先権を主張し、その内容全体が本明細書に完全に説明されているかのように、その全体が参照によって本明細書に組み込まれている。
【背景技術】
【０００２】
[0002]  キャンプ用ストーブ又は鍋などのポータブル機器の多くの脚部は、格納位置から所望の支持位置へと垂直又は水平軸の周りを回転させて支持される。いくつかのものは、格納するために単に取り外すことができる。
【図面の簡単な説明】
【０００３】
【図１】[0003]  図１は、第１の実施形態による、ポータブル機器支持装置を図示する。
【図２】図２は、第１の実施形態による、ポータブル機器支持装置を図示する。
【図３】[0004]  図３は、第２の実施形態による、ポータブル機器支持装置を図示する。
【図４】図４は、第２の実施形態による、ポータブル機器支持装置を図示する。
【図５】[0005]  図５は、第３の実施形態による、ポータブル機器支持装置を図示する。
【図６】図６は、第３の実施形態による、ポータブル機器支持装置を図示する。
【図７】図７は、第３の実施形態による、ポータブル機器支持装置を図示する。
【図８】[0006]  図８は、１つの実施形態による、燃料容器とポータブル機器支持装置とを図示する。
【図９】[0007]  図９は、第４の実施形態による、ポータブル機器支持装置を図示する。
【図１０】図１０は、第４の実施形態による、ポータブル機器支持装置を図示する。
【詳細な説明】
【０００４】
[0008]  この特許出願は、本発明の１つ以上の実施形態を説明することを意図している。「しなければならない」、「だろう」、及びこれらに類するもの、並びに、特定の量などの絶対的用語の使用は、必ずしも全てのこのような実施形態に対してではないが、このような実施形態のうちの１つ以上に対して適用可能であるとして解釈すべきであると理解されたい。このように、本発明の実施形態は、このような絶対的用語の文脈において説明される１つ以上の特徴又は機能性の修正を、省略するか又は含んでもよい。
【０００５】
[0009]  実施形態は、限定された空間に格納するための所望の経路で動く、脚部などの支持要素を含む。脚部の展開された足部は、鍋などの負荷／物体を支持するために、比較的広く、安定した土台を提供する。展開されたとき、これら脚部は、展開された状態を維持する。
【０００６】
[0010]  ここで、図１及び図２を参照すると、本発明の第１の実施形態による、ストーブ１０などのポータブル機器支持装置が示されている。ストーブ１０は、例えば、加熱のために調理鍋が置かれる、面要素２０を含む。
【０００７】
[0011]  ストーブ１０はさらに、面要素２０に結合されたマウント３０などの、複数の第１の支持要素を含む。各マウント３０は、面要素２０に直接結合され得る。マウント３０の各々は、その中に形成された１つ以上のスロット部４０を有する。より具体的には、マウント３０の各々は、その中にスロット部４０が形成された対向壁部３１、３２を含み得る。各スロット部４０は、面要素２０に近位の端部５０と、面要素から遠位の端部６０とを有する。各スロット部４０は、近位端部５０及び遠位端部６０の両側で閉じられている。
【０００８】
[0012]  ストーブ１０はさらに、延伸脚部７０などの複数の第２の支持要素と、ピン８０などの複数の固定具とを含む。各脚部７０は、それぞれのスロット部４０内に位置するピン８０のうちのそれぞれ１つによってそれぞれのマウント３０に結合される。各ピン８０は、近位端部５０と遠位端部６０との間のスロット部４０内を、前後に並進移動するように構成される。各スロット部４０内の各ピン８０の並進移動動作は、少なくとも部分的に直線である。
【０００９】
[0013]  図１に最もわかりやすく示すように、ストーブ１０は、各ピン８０が遠位端部６０にあり、且つ、各脚部が結合されているマウント３０からの角度で各脚部７０が延在している展開位置を有する。ストーブ１０はさらに、ストーブがその展開位置にあるときに、各脚部７０の位置を拘束しかつ安定させる役割を果たす、１つ以上のリベット９５を含む。図２に最もわかりやすく示すように、ストーブ１０は、近位端部５０に各ピン８０があり、且つ、各脚部が結合されているマウント３０の少なくとも一部と各脚部７０の少なくとも一部が平行である格納位置を有する。代替的に、格納位置において、各脚部７０はマウント３０の少なくとも一部と平行ではなく、マウントに対して異なる角度であり、場合によっては、平行を越えた状態である。この格納位置にあるとき、各脚部７０は、少なくとも部分的にそれぞれのマウント３０内に配置される。
【００１０】
[0014]  ストーブ１０はさらに、図８に最もわかりやすく示すように、燃料源１００から可燃料を受け取るように構成されたポートアセンブリ９０を含む。面要素２０は、ポートアセンブリ９０に流体連結され、ポートアセンブリで受け取られた燃料を燃焼するように構成され得る。
【００１１】
[0015]  ここで、図３及び図４を参照すると、本発明の第２の実施形態による、ストーブ１１０のようなポータブル機器支持装置が示されている。ストーブ１１０は、例えば、加熱のために調理鍋が置かれる、面要素１２０を含む。
【００１２】
[0016]  ストーブ１１０はさらに、面要素１２０に結合されたマウント１３０などの、複数の第１の支持要素を含む。各マウント１３０は、面要素１２０に直接結合され得る。マウント１３０の各々は、その中に形成された１つ以上のスロット部１４０を有する。より具体的には、マウント１３０の各々は、その中にスロット部１４０が形成された対向壁部１３１、１３２を含み得る。各スロット部１４０は、面要素１２０に近位の端部１５０と、面要素から遠位の端部１６０とを有する。各スロット部１４０は、近位端部１５０及び遠位端部１６０の両側で閉じられている。
【００１３】
[0017]  ストーブ１１０はさらに、延伸脚部１７０などの複数の第２の支持要素と、ピン１８０などの複数の固定具とを含む。各脚部１７０は、それぞれのスロット部１４０内に位置するピン１８０のうちのそれぞれ１つによってそれぞれのマウント１３０に結合される。各ピン１８０は、近位端部１５０と遠位端部１６０との間のスロット部１４０内を、前後に並進移動するように構成される。各スロット部１４０内の各ピン１８０の並進移動動作は、少なくとも部分的に直線である。
【００１４】
[0018]  図３に最もわかりやすく示すように、ストーブ１１０は、各ピン１８０が遠位端部１６０にあり、且つ、各脚部が結合されているマウント１３０からの角度で各脚部１７０が延在している展開位置を有する。図４に最もわかりやすく示すように、ストーブ１１０は、近位端部１５０に各ピン１８０があり、且つ、各脚部が結合されているマウント１３０の少なくとも一部と各脚部１７０の少なくとも一部が平行である格納位置を有する。この格納位置にあるとき、各マウント１３０は、少なくとも部分的にそれぞれの各脚部１７０内に配置される。
【００１５】
[0019]  ストーブ１１０はさらに、燃料源から可燃料を受け取るように構成されたポートアセンブリ１９０を含む。面要素１２０は、ポートアセンブリ１９０に流体連結され、ポートアセンブリで受け取られた燃料を燃焼するように構成され得る。
【００１６】
[0020]  ここで、図５〜図７を参照すると、本発明の第３の実施形態による、ストーブ２１０などのポータブル機器支持装置が示されている。ストーブ２１０は、例えば、加熱のために調理鍋が置かれる、面要素２２０を含む。
【００１７】
[0021]  ストーブ２１０はさらに、面要素２２０に結合されたマウント２３０などの、複数の第１の支持要素を含む。各マウント２３０は、面要素２２０に直接結合され得る。マウント２３０の各々は、その中に形成された１つ以上のスロット部２４０を有する。各スロット部２４０は、面要素２２０に近位の端部２５０と、面要素から遠位の端部２６０とを有する。各スロット部２４０は、近位端部２５０及び遠位端部２６０の両側で閉じられている。
【００１８】
[0022]  ストーブ２１０はさらに、延伸脚部２７０などの複数の第２の支持要素と、ピン２８０などの複数の固定具とを含む。各脚部２７０は、それぞれのスロット部２４０内に位置するピン２８０のうちのそれぞれ１つによってそれぞれのマウント２３０に結合される。各ピン２８０は、近位端部２５０と遠位端部２６０との間のスロット部２４０内を、前後に並進移動するように構成される。各スロット部２４０内の各ピン２８０の並進移動動作は、少なくとも部分的に曲線である。
【００１９】
[0023]  図５に最もわかりやすく示すように、ストーブ２１０は、各ピン２８０が近位端部２５０にあり、各脚部が結合されているマウント２３０からの角度で各脚部２７０が延在している展開位置を有する。図６に最もわかりやすく示すように、ストーブ２１０は、遠位端部２６０に各ピン２８０があり、各脚部が結合されているマウント２３０の少なくとも一部と各脚部２７０の少なくとも一部が平行である格納位置を有する。
【００２０】
[0024]  ストーブ２１０はさらに、燃料源から可燃料を受け取るように構成されたポートアセンブリ２９０を含む。面要素２２０は、ポートアセンブリ２９０に流体連結され、ポートアセンブリで受け取られた燃料を燃焼するように構成され得る。
【００２１】
[0025]  本発明の好ましい実施形態が図示及び説明されているが、本発明の趣旨及び範囲から逸脱することなく多くの変更が行われることができる。例えば、脚部７０の動作の経路は、スロット部４０内の動作に限定される必要はない。１つの実施形態では、面要素２０に結合されたロッドは、脚部７０の動作の経路を、その経路に沿ってロッドが挿入される脚部中の穴を用いてセットしてもよい。加えて、図９及び図１０を参照すると、代替的な実施形態では、ピン８０が排除され得、フォロア９８０などの要素が、マウント９３０と脚部９７０とのうちの少なくとも１つに結合され、互いに関してマウント及び脚部の動作を可能にするために他のマウント及び脚部に外接する。代替の実施形態では、ストーブ１０は、識別可能な遠位端部及び近位端部を有することなく、スロット端部が面要素２０から等距離になるように構成されることができる。代替的に、１つの実施形態では、ストーブ１０は、展開された位置に脚部７０を乗せるスプリングを含んでもよい。したがって、本発明の範囲は、好ましい実施形態の開示によって限定されるものではない。代わりに、本発明は、以下の請求項を参照することにより完全に決定されるものである。
【図１】
2020504284.tif 000003
【図２】
2020504284.tif 000004
【図３】
2020504284.tif 000005
【図４】
2020504284.tif 000006
【図５】
2020504284.tif 000007
【図６】
2020504284.tif 000008
【図７】
2020504284.tif 000009
【図８】
2020504284.tif 000010
【図９】
2020504284.tif 000011
【図１０】
2020504284.tif 000012
【国際調査報告】
2020504284.tif 000013
2020504284.tif 000014